(57)【特許請求の範囲】
【請求項１】
メディア再生端末、番組予約サーバ、及び番組予約端末からなる番組予約システムにおける番組予約方法であって、
前記メディア再生端末において、
メディアに対して再生を含む操作が行われたことを契機に、メディアに出演者あるいはアーティスト、コンテンツ名を含む付加情報がある場合には当該付加情報と再生日時情報を含む情報をメディア情報として抽出し、前記付加情報がない場合には、メディアのコンテンツ時間、コンテンツ順序、及び、再生日時情報を含む情報をメディア情報として抽出し、前記メディア情報を前記番組予約サーバに送信し、
前記番組予約サーバにおいて、
前記メディア再生端末から受信した前記メディア情報に含まれた情報をキーとして、少なくともコンテンツ名、コンテンツ時間、コンテンツ順序、出演者あるいはアーティストを含む情報が格納されたデータベースを検索し、対応する情報に付随した情報を元のメディア情報に付加し、そのメディア情報を再生日時情報を含めてメディア履歴データベースに格納し、
前記メディア履歴データベースから、一定期間に所定回数以上、当該メディア履歴データベースに登録された情報を検索し、該当する情報を番組予約キーとして抽出し、
電子番組表と前記番組予約キーに基づいて番組予約情報を作成し、
作成された前記番組予約情報を番組予約端末に送信し、
前記番組予約端末において、
受信した番組予約情報を番組予約部に蓄積する
ことを特徴とする番組予約方法。
【請求項２】
メディア再生端末、番組予約サーバ、及び録画予約に利用される番組予約情報を蓄積する番組予約端末からなる番組予約システムにおいて、メディア再生端末から取得した情報に基づいて番組予約情報を作成し、作成された番組予約情報を番組予約端末に送信する番組予約サーバにおける番組予約方法において、
前記メディア再生端末から、メディアに出演者あるいはアーティスト、コンテンツ名を含む付加情報がある場合には当該付加情報と再生日時情報を含むメディア情報を、前記付加情報がない場合には、メディアのコンテンツ時間、コンテンツ順序、及び、再生日時情報を含むメディア情報を受信し、
受信したメディア情報に含まれた情報をキーとして、少なくともコンテンツ名、コンテンツ時間、コンテンツ順序、出演者あるいはアーティストを含む情報が格納されたデータベースを検索し、対応する情報に付随した情報を元のメディア情報に付加し、そのメディア情報を再生日時情報を含めてメディア履歴データベースに格納し、
前記メディア履歴データベースから、一定期間に所定回数以上、当該メディア履歴データベースに登録された情報を検索し、該当する情報を番組予約キーとして抽出し、
番組予約表と前記番組予約キーに基づいて番組予約情報を作成し、
作成された前記番組予約情報を番組予約端末に送信する
ことを特徴とする番組予約方法。
【請求項３】
メディア再生端末、番組予約サーバ、及び番組予約端末からなる番組予約システムであって、
前記メディア再生端末は、
メディアに対して再生を含む操作が行われたことを契機に、メディアに出演者あるいはアーティスト、コンテンツ名を含む付加情報がある場合には当該付加情報と再生日時情報を含む情報をメディア情報として抽出し、前記付加情報がない場合には、メディアのコンテンツ時間、コンテンツ順序、及び、再生日時情報を含む情報をメディア情報として抽出するメディア情報抽出手段と、
前記メディア情報を前記番組予約サーバに送信する送信手段と、を有し、
前記番組予約サーバは、
前記メディア再生端末から前記メディア情報を受信する受信手段と、
少なくともコンテンツ名、コンテンツ時間、コンテンツ順序、出演者あるいはアーティストを含む情報が格納されたメディア情報データベースと、
前記メディア情報に含まれた情報をキーとして、前記メディア情報データベースを検索し、対応する情報に付随した情報を元のメディア情報に付加し、そのメディア情報を再生日時情報を含めてメディア履歴データベースに格納するメディア情報解析手段と、
前記メディア履歴データベースから、一定期間に所定回数以上、当該メディア履歴データベースに登録された情報を検索し、該当する情報を番組予約キーとして抽出し、電子番組表と前記番組予約キーに基づいて番組予約情報を作成する番組予約作成手段と、
作成された前記番組予約情報を前記番組予約端末に送信する番組予約情報送信手段と、を有し、
前記番組予約端末は、
受信した番組予約情報を番組予約部に蓄積する手段を有する
ことを特徴とする番組予約システム。
【請求項４】
メディア再生端末、番組予約サーバ、及び録画予約に利用される番組予約情報を蓄積する番組予約端末からなる番組予約システムにおいて、メディア再生端末から取得した情報に基づいて番組予約情報を作成し、作成された番組予約情報を番組予約端末に送信する番組予約サーバであって、
前記メディア再生端末から、メディアに出演者あるいはアーティスト、コンテンツ名を含む付加情報がある場合には当該付加情報と再生日時情報を含むメディア情報を、前記付加情報がない場合には、メディアのコンテンツ時間、コンテンツ順序、及び、再生日時情報を含むメディア情報を受信する受信手段と、
少なくともコンテンツ名、コンテンツ時間、コンテンツ順序、出演者あるいはアーティストを含む情報が格納されたメディア情報データベースと、
受信したメディア情報に含まれた情報をキーとして、前記メディア情報データベースを検索し、対応する情報に付随した情報を元のメディア情報に付加し、そのメディア情報を再生日時情報を含めてメディア履歴データベースに格納するメディア情報解析手段と、
前記メディア履歴データベースから、一定期間に所定回数以上、当該メディア履歴データベースに登録された情報を検索し、該当する情報を番組予約キーとして抽出し、番組予約表と前記番組予約キーに基づいて番組予約情報を作成する番組予約作成手段と、
作成された前記番組予約情報を前記番組予約端末に送信する番組予約情報送信手段と、
を有することを特徴とする番組予約サーバ。
【請求項５】
コンピュータを、請求項４記載の番組予約サーバの各手段として機能させるための番組予約プログラム。
【請求項６】
コンピュータを、請求項４記載の番組予約サーバの各手段として機能させるための番組予約プログラムを格納したコンピュータ読み取り可能な記録媒体。
【発明の詳細な説明】
【０００１】
【発明の属する技術分野】
本発明は、番組予約方法及びシステム及び番組予約サーバ及び番組予約プログラム及びコンピュータ読み取り可能な記録媒体に係り、特に、ユーザが自分の嗜好にあった番組を予約するための番組予約方法及びシステム及び番組予約サーバ及び番組予約プログラム及びコンピュータ読み取り可能な記録媒体に関する。
【０００２】
【従来の技術】
ユーザが自分の嗜好にあった番組を予約したい場合、ユーザは事前に好みのアーティスト名／出演者・番組名・番組ジャンル名等を登録しておくことで、その情報を元に電子番組表（ＥＰＧ）を利用して嗜好にあった番組を検出し、それらの番組を自動予約するシステムが開発されている。
【０００３】
【発明が解決しようとする課題】
しかしながら、上記従来の技術における番組予約システムは、好みのアーティスト名／出演者・番組名・番組ジャンル名等を事前に登録しておく必要があり、日々移り変わるユーザ嗜好に対応させるためには、その都度、それら項目を登録し直す必要がある。従って人手を煩わすという問題がある。
【０００４】
また、近年、ＣＤ，ＭＤ，ＤＶＤ等のメディア、また、それらを再生するパーソナルコンピュータ、ポータブルプレーヤ、コンポーネント等のメディア再生端末が普及し、ユーザ個人がそれらを視聴して楽しむ機会が頻繁になってきているが、これらを番組予約システムに適用させる方法がない。
【０００５】
本発明は、上記の点に鑑みなされたもので、ユーザが自分の嗜好にあった番組を予約したい場合、日々利用しているメディア再生端末から、視聴メディア情報を抽出し、それらをキーとして電子番組表内から嗜好にあった番組を検出し、それらの番組を予約することが可能な番組予約方法及びシステム及び番組予約サーバ及び番組予約プログラム及びコンピュータ読み取り可能な記録媒体を提供することを目的とする。
【０００６】
【課題を解決するための手段】
図１は、本発明の原理を説明するための図である。
【０００８】
本発明（請求項１）は、メディア再生端末、番組予約サーバ、及び番組予約端末からなる番組予約システムにおける番組予約方法であって、
メディア再生端末において、
メディアに対して再生を含む操作が行われたことを契機に、メディアに出演者あるいはアーティスト、コンテンツ名を含む付加情報がある場合には当該付加情報と再生日時情報を含む情報をメディア情報として抽出し、付加情報がない場合には、メディアのコンテンツ時間、コンテンツ順序、及び、再生日時情報を含む情報をメディア情報として抽出し、メディア情報を番組予約サーバに送信し（ステップ１）、
番組予約サーバにおいて、
メディア再生端末から受信したメディア情報に含まれた情報をキーとして、少なくともコンテンツ名、コンテンツ時間、コンテンツ順序、出演者あるいはアーティストを含む情報が格納されたデータベースを検索し（ステップ２）、対応する情報に付随した情報を元のメディア情報に付加し、そのメディア情報を再生日時情報を含めてメディア履歴データベースに格納し（ステップ３）、
メディア履歴データベースから、一定期間に所定回数以上、当該メディア履歴データベースに登録された情報を検索し、該当する情報を番組予約キーとして抽出し（ステップ４）、
電子番組表と番組予約キーに基づいて番組予約情報を作成し（ステップ５）、
作成された番組予約情報を番組予約端末に送信し（ステップ６）、
番組予約端末において、
受信した番組予約情報を番組予約部に蓄積する。
【００１１】
本発明（請求項２）は、メディア再生端末、番組予約サーバ、及び録画予約に利用される番組予約情報を蓄積する番組予約端末からなる番組予約システムにおいて、メディア再生端末から取得した情報に基づいて番組予約情報を作成し、作成された番組予約情報を番組予約端末に送信する番組予約サーバにおける番組予約方法において、
メディア再生端末から、メディアに出演者あるいはアーティスト、コンテンツ名を含む付加情報がある場合には当該付加情報と再生日時情報を含むメディア情報を、付加情報がない場合には、メディアのコンテンツ時間、コンテンツ順序、及び、再生日時情報を含むメディア情報を受信し、
受信したメディア情報に含まれた情報をキーとして、少なくともコンテンツ名、コンテンツ時間、コンテンツ順序、出演者あるいはアーティストを含む情報が格納されたデータベースを検索し、対応する情報に付随した情報を元のメディア情報に付加し、そのメディア情報を再生日時情報を含めてメディア履歴データベースに格納し、
メディア履歴データベースから、一定期間に所定回数以上、当該メディア履歴データベースに登録された情報を検索し、該当する情報を番組予約キーとして抽出し、
番組予約表と番組予約キーに基づいて番組予約情報を作成し、
作成された番組予約情報を番組予約端末に送信する。
【００１３】
図２は、本発明の原理構成図である。
【００１５】
本発明（請求項３）は、メディア再生端末１００、番組予約サーバ２００、及び番組予約端末３００からなる番組予約システムであって、
メディア再生端末１００は、
メディアに対して再生を含む操作が行われたことを契機に、メディアに出演者あるいはアーティスト、コンテンツ名を含む付加情報がある場合には当該付加情報と再生日時情報を含む情報をメディア情報として抽出し、付加情報がない場合には、メディアのコンテンツ時間、コンテンツ順序、及び、再生日時情報を含む情報をメディア情報として抽出するメディア情報抽出手段１０２と、
メディア情報を番組予約サーバ２００に送信する送信手段と、を有し、
番組予約サーバ２００は、
メディア再生端末からメディア情報を受信する受信手段２０１と、
少なくともコンテンツ名、コンテンツ時間、コンテンツ順序、出演者あるいはアーティストを含む情報が格納されたメディア情報データベース２１０と、
メディア情報に含まれた情報をキーとして、メディア情報データベース２１０を検索し、対応する情報に付随した情報を元のメディア情報に付加し、そのメディア情報を再生日時情報を含めてメディア履歴データベース２０４に格納するメディア情報解析手段２０２と、
メディア履歴データベース２０４から、一定期間に所定回数以上、当該メディア履歴データベース２０４に登録された情報を検索し、該当する情報を番組予約キーとして抽出し、電子番組表２１１と番組予約キーに基づいて番組予約情報を作成する番組予約作成手段２０３と、
作成された番組予約情報を番組予約端末３００に送信する番組予約情報送信手段２０５と、を有し、
番組予約端末３００は、
受信した番組予約情報を番組予約部に蓄積する手段を有する。
【００１８】
本発明（請求項４）は、メディア再生端末、番組予約サーバ、及び録画予約に利用される番組予約情報を蓄積する番組予約端末からなる番組予約システムにおいて、メディア再生端末から取得した情報に基づいて番組予約情報を作成し、作成された番組予約情報を番組予約端末に送信する番組予約サーバであって、
メディア再生端末から、メディアに出演者あるいはアーティスト、コンテンツ名を含む付加情報がある場合には当該付加情報と再生日時情報を含むメディア情報を、付加情報がない場合には、メディアのコンテンツ時間、コンテンツ順序、及び、再生日時情報を含むメディア情報を受信する受信手段と、
少なくともコンテンツ名、コンテンツ時間、コンテンツ順序、出演者あるいはアーティストを含む情報が格納されたメディア情報データベースと、
受信したメディア情報に含まれた情報をキーとして、メディア情報データベースを検索し、対応する情報に付随した情報を元のメディア情報に付加し、そのメディア情報を再生日時情報を含めてメディア履歴データベースに格納するメディア情報解析手段と、
メディア履歴データベースから、一定期間に所定回数以上、当該メディア履歴データベースに登録された情報を検索し、該当する情報を番組予約キーとして抽出し、番組予約表と番組予約キーに基づいて番組予約情報を作成する番組予約作成手段と、
作成された番組予約情報を番組予約端末に送信する番組予約情報送信手段と、を有する。
【００２１】
本発明（請求項５）は、コンピュータを、請求項４記載の番組予約サーバの各手段として機能させるための番組予約プログラムである。
【００２４】
本発明（請求項６）は、コンピュータを、請求項４記載の番組予約サーバの各手段として機能させるための番組予約プログラムを格納したコンピュータ読み取り可能な記録媒体である。
【００２６】
上記のように、本発明では、メディア再生端末において、メディアの格納時、または、メディアの再生、停止、巻き戻し、早送りなどの操作を契機に、メディア情報が抽出されると、予めデータベースに蓄積されているコンテンツ名、コンテンツ時間、コンテンツ順序、出演者／アーティスト等の情報を参照して当該メディア情報を解析し、解析されたメディア情報に基づいて電子番組表から番組を検出して番組予約情報を作成することにより、ユーザの嗜好に併せた番組選択が可能となる。
【００２７】
また、番組予約サーバにおいて、メディア情報と過去のメディア情報を履歴データベースに格納しておくことにより、当該履歴データベースを参照することにより、所定の期間内に所定の出現頻度を持つメディア情報を抽出し、当該メディア情報に関連する番組予約情報が作成されるため、よりユーザの嗜好を反映させた番組選択が可能となる。
【００２８】
さらに、番組予約サーバで作成された番組予約情報を、メディア再生端末においてユーザに対して表示することにより、ユーザは視聴したい番組を選択することが可能となると共に、さらに、ユーザにより選択された番組予約確定情報を直接、番組予約端末に送信することが可能となる。
【００２９】
【発明の実施の形態】
［第１の実施の形態］
本実施の形態では、メディア再生端末からメディア情報を受け取った番組予約サーバが当該メディア情報を解析して番組予約情報を作成して、番組予約端末に送信する場合について説明する。
【００３０】
図３は、本発明の第１の実施の形態におけるシステム構成を示す。
【００３１】
同図に示すシステムは、メディア再生端末１００、番組予約サーバ２００、番組予約端末３００から構成される。
【００３２】
メディア再生端末１００は、メディア格納部１０１、メディア情報抽出部１０２、データ送信部１０３から構成される。
【００３３】
メディア格納部１０１は、常時メディアの端末格納状況を監視しており、メディアが格納されたか否かを判別する。
【００３４】
メディア情報抽出部１０２は、メディア格納部１０１に格納されたメディアの情報を抽出する。メディア情報とは、出演者／アーティスト名・コンテンツ名等であり、それらの情報がメディアに付加されていない場合には、コンテンツ順序やコンテンツ時間といったＣＤアルバムなどのコンテンツを一意に確定させるＴＯＣ（Table Of Contents)情報でもよい。ここで、ＴＯＣ情報には、ＣＤアルバムなどのコンテンツ（曲目）の再生時間であるコンテンツ時間、ＣＤアルバムなどにおける格納の順序であるコンテンツ順序などがある。
【００３５】
データ送信部１０３は、メディア情報抽出部１０２で抽出されたメディア情報を番組予約サーバ２００に送信する。
【００３６】
なお、上記のメディア再生端末１００は、既存のパーソナルコンピュータ、ポータブルプレーヤ、コンポーネント等であり、これらの装置が、上記の機能を有していればよい。
【００３７】
番組予約サーバ２００は、データ送受信部２０１、メディア情報解析部２０２、番組予約判断部２０３から構成され、メディア情報解析部２０２は、メディア情報データベース２１０と接続され、番組予約判断部２０３は、電子番組表データベース２１１と接続される。
【００３８】
メディア情報データベース２１０は、コンテンツ名・コンテンツ時間・コンテンツ順序・出演者／アーティスト名等が格納されている。
【００３９】
電子番組表データベース２１１は、日々の番組が出演者／アーティスト名の情報と共に格納されている。
【００４０】
データ送受信部２０１は、メディア再生端末１００からメディア情報を受信し、作成された番組予約情報を番組予約端末３０１に送信する。
【００４１】
メディア情報解析部２０２は、受信したメディア情報について、メディア情報のコンテンツ名をキーとしてメディア情報データベース２１０を検索し、対応するコンテンツ名に付随する情報を元のメディア情報に付加して番組予約判断部２０３に渡す。
【００４２】
番組予約判断部２０３は、メディア情報解析部２０２から取得したメディア情報のコンテンツ名、出演者／アーティスト名等のメディア情報内の項目をキーとして、電子番組表データベース２１１を検索し、該当する番組があれば、番組予約情報を作成し、データ送受信部２０１に転送する。
【００４３】
番組予約端末３００は、番組予約部３０１を有する。
【００４４】
番組予約部３０１は、番組予約サーバ２００から取得した番組予約情報を蓄積し、番組の再生予約・録画予約等に利用される。
【００４５】
次に、上記の構成における動作を説明する。
【００４６】
図４は、本発明の第１の実施の形態における動作のフローチャートである。
【００４７】
メディア再生端末１００のメディア格納部１０１は、常時メディアの端末格納状況を監視しており（ステップ１０１）、メディアが格納されたか否かを判別する（ステップ１０２）。メディアが格納されていなければ（ステップ１０２，Ｎｏ）、処理動作を終了し、メディアが端末に格納されれば（ステップ１０２，Ｙｅｓ）、メディア情報抽出部１０２により、格納されたメディアの情報を自動的に抽出する（ステップ１０３）。
【００４８】
ここで、上記のメディア情報は、出演者／アーティスト名・コンテンツ名等であり、それらの情報がメディアに付加されていない場合は、コンテンツ時間・コンテンツ順序などのＴＯＣ情報でもよい。
【００４９】
そして、データ送信部１０３により、上記メディア情報を自動的に番組予約サーバ２００に送信する（ステップ１０４）。
【００５０】
上記のメディア情報は、番組予約サーバ２００におけるデータ送受信部２０１が受け取り、メディア情報データベース２１０を利用してメディア情報解析部２０２において、メディア情報の中身を解析する（ステップ１０５）。例えば、図５（Ａ）に示すように、メディア情報のコンテンツ名（Ｘ１）をキーとして、メディア情報データベース２１０内を検索し、対応するコンテンツ名（Ｘ１）に付随した情報を、元のメディア情報に付加する。また、図５（Ｂ）に示すように、メディア情報に、上記の情報が含まれず、コンテンツ順序・コンテンツ時間等の情報のみの場合も同様にして、それらの情報によってメディア情報データベース２１０内を検索し、対応するコンテンツ名、出演者／アーティスト名等の情報を、元のメディア情報に付加する。
【００５１】
上記において更新されたメディア情報は、番組予約判断部２０３に渡し、コンテンツ名・出演者／アーティスト名等のメディア情報内の項目をキーとして、電子番組表データベース２１１内を検索する（ステップ１０６）。
【００５２】
該当する番組が存在しなければ（ステップ１０７，Ｎｏ）、処理動作を終了し、該当する番組が存在すれば（ステップ１０７，Ｙｅｓ）、番組予約情報を作成する（ステップ１０８）。例えば、図６に示すように、メディア情報解析部２０から得られるメディア情報内のコンテンツ名、出演者／アーティスト名、関連情報等をキーとして電子番組表データベース２１１内を検索し、該当する番組を抽出して、日付、時間、放送局、番組名等を用いて番組予約情報を作成する。
【００５３】
次に、番組予約サーバ２００は、上記により作成した番組予約情報を、番組予約サーバ２００におけるデータ送受信部２０１から番組予約端末３００に送信し（ステップ１０９）、番組予約端末３００における番組予約部３０１に蓄積する（ステップ１１０）。番組予約情報は、番組の再生予約・録画予約等に利用される。
【００５４】
［第２の実施の形態］
本実施の形態では、番組予約サーバがメディア情報を履歴として格納したメディア情報データベースを参照して、ユーザが頻繁に視聴しているメディアに関連する番組を予約を行う場合について説明する。
【００５５】
図７は、本発明の第２の実施の形態におけるシステム構成を示す。同図において、図３と同一構成部分には同一符号を付し、その説明を省略する。図７に示すシステムは、図３の構成における、メディア再生端末１００にメディア再生制御部１０４が付加され、番組予約サーバ２００にメディア履歴データベース２０４が付加された構成である。
【００５６】
メディア再生制御部１０４は、メディア格納部１０１に格納されているメディアを任意の位置から再生する。
【００５７】
メディア履歴データベース２０４は、メディア情報と過去のメディア情報を格納する。
【００５８】
これにより、メディア情報解析部２０２は、メディア情報に基づいてメディア情報データベース２１０を検索し、対応する情報を元のメディア情報に付加し、そのメディア情報をメディア履歴データベース２０４に登録する。この登録処理を契機として、ある期間内において、ある閾値以上、メディア履歴データベース２０４に登録された情報を検索し、該当する情報を番組予約キーとして作成する。
【００５９】
図８は、本発明の第２の実施の形態における動作のフローチャートである。
【００６０】
メディア再生端末１００のメディア再生制御部１０４によって、メディア格納部１０１に格納されているメディアが任意の位置から再生されると、メディアがいつ、どの位置から再生されているかを表すメディア情報を、自動的にメディア情報抽出部１０２により抽出する（ステップ２０１）。
【００６１】
上記のメディア情報は、例えば、あるＭＤ中のある曲がある日時に再生されていたとすると、図９に示すように、前述の第１の実施の形態におけるメディア情報に日時情報が付加されたものとなる。
【００６２】
次に、データ送信部１０３により、抽出されたメディア情報を自動的に番組予約サーバ２００に送信する（ステップ２０２）。
【００６３】
上記のメディア情報は、番組予約サーバ２００におけるデータ送受信部２０１が受け取り、メディア情報データベース２１０を利用して、メディア情報解析部２０２にいて、メディア情報を解析する（ステップ２０３）。例えば、図１０に示すように、メディア情報内の曲名（Ｘ１−２）をキーとして、メディア情報データベース２１０を検索し、対応する曲名（Ｘ１−２）に付随した情報を元のメディア情報に付加する。
【００６４】
そして、そのメディア情報を、再生日時を含めて、メディア履歴データベース２０４に登録する（ステップ２０４）。これにより、その登録処理をトリガとして、ある期間内において（例えば、１週間以内に）、ある閾値以上、メディア履歴データベース２０４に登録された情報を検索し（ステップ２０５）、該当する項目が存在しなければ（ステップ２０６、Ｎｏ）、処理動作を終了し、該当する項目が存在すれば（ステップ２０６、Ｙｅｓ）、その情報を番組予約キーとして作成する（ステップ２０７）。例えば、あるアーティスト（Ａ１）の曲を日々頻繁に聴いていると、そのアーティスト（Ａ１）が頻繁にメディア履歴データベース２０４に登録され、ある閾値以上登録されると、図１０に示すような番組予約キーが作成される。
【００６５】
そして、作成された番組予約キーを番組予約判断部２０３に渡し、当該番組予約キーに基づいて、電子番組表データベース２１１を検索する（ステップ２０８）。該当する番組が存在しなければ（ステップ２０９，Ｎｏ）、処理動作を終了し、該当する番組が存在すれば（ステップ２０９、Ｙｅｓ）、番組予約情報を作成する（ステップ２１０）。
【００６６】
そして、上記の番組予約情報を、番組データ送受信部２０１から番組予約端末３００に送信し（ステップ２１１）、番組予約端末３００における番組予約部３０１に蓄積する（ステップ２１２）。
【００６７】
［第３の実施の形態］
本実施の形態では、番組予約サーバ２００が番組予約情報を番組予約端末３００に送信するのではなく、メディア再生端末１００に送信し、メディア再生端末１００において、番組予約情報を表示し、ユーザが予約を必要とする番組の選択を行い、選択された番組を番組予約確定情報として、番組予約サーバ２００を介して、または、直接、番組予約端末３００に送信する例を説明する。
【００６８】
図１１は、本発明の第３の実施の形態におけるシステム構成を示す。同図において、図３と同一構成部分には同一符号を付し、その説明を省略する。
【００６９】
図１１に示すシステムは、メディア再生端末１００に表示部１０６が設けられた構成である。
【００７０】
図１２は、本発明の第３の実施の形態における動作のフローチャートである。同図において、図４に示すステップ１０１からステップ１０８までの動作は同様であるので説明は省略する。
【００７１】
まず、第１の実施の形態と同様に、ステップ１０１からステップ１０８までの処理を行い、その後、番組予約サーバ２００は、番組予約情報をデータ送受信部２０１に渡し、データ送受信部２０１は、メディア再生端末１００に送信する（ステップ３０２）。
【００７２】
上記の番組予約情報は、メディア再生端末１００のデータ送受信部１０５が受信し、その情報を表示部１０６に表示する（ステップ３０３）。ここで、ユーザは、メディア再生端末１００における既存のボタンを利用し、表示部１０６に表示される番組予約情報において、予約したい番組を選択する（ステップ３０４）。そして、選択された番組予約確定情報を、メディア再生端末１００のデータ送受信部１０５から番組予約サーバ２００に送信する（ステップ３０５）。
【００７３】
上記で送信された番組予約確定情報を、番組予約サーバ２００におけるデータ送受信部２０１が受信し、その情報を番組予約端末３００に送信し（ステップ３０６）、番組予約端末３００における番組予約部３０１に蓄積する（ステップ３０７）。
【００７４】
また、上記のステップ３０６及びステップ３０７では、番組予約サーバ２００を介して番組予約端末３００に送信しているが、メディア再生端末１００のデータ送受信部１０５から直接番組予約端末３００の番組予約部３０１に送信するようにしてもよい。
【００７５】
最後に、上記の各実施の形態において、番組予約サーバ２００から番組予約情報を送信する先の番組予約端末３００を決定する方法について説明する。
【００７６】
番組予約端末の決定方法には、以下の２つの方法がある。
【００７７】
まず、１つは、メディア再生端末１００から指定する方法である。メディア情報を番組予約サーバ２００に送るとき、配信先の番組予約端末３００を識別する情報（例えば、ＩＰアドレス）も付加して送る。番組予約サーバ２００が記憶しておくことにより、番組予約端末を特定することができる。
【００７８】
２つ目の方法は、番組予約サーバ２００において、メディア再生端末１００と番組予約端末３００の対応をテーブルとして管理しておく方法である。メディア再生端末１００をキーとしてテーブルを検索し、番組予約端末を特定することができる。テーブルの更新は、メディア再生端末あるいは、番組予約端末からのリクエストにより実施できる。
【００７９】
なお、番組予約端末は１つのメディア再生端末につき１台と限定するものではなく、前者の方法であれば、メディア再生端末から複数の番組予約端末を指定しもよい。後者の方法であれば、テーブルにおいて１つのメディア再生端末につき、複数の番組予約端末を格納してもよい。
【００８０】
また、上記の各実施の形態における番組予約サーバ２００の構成要素をプログラムとして構築し、番組予約サーバとして利用されるコンピュータにインストールする、または、ネットワークを介して流通させることが可能である。
【００８１】
また、構築されたプログラムを、番組予約サーバとして利用されるコンピュータに接続されるハードディスク装置や、フロッピーディスク、ＣＤ−ＲＯＭ等の可搬記憶媒体に格納しておき、本発明を実施する際にインストールすることにより、容易に本発明を実現できる。
【００８２】
なお、本発明は、上記の実施の形態に限定されることなく、特許請求の範囲内において、種々変更・応用が可能である。
【００８３】
【発明の効果】
上述のように、本発明によれば、ユーザが自分の嗜好にあった番組を予約したい場合、事前に登録されたキーワードを用いて番組予約するのではなく、頻繁に再生されるメディアの情報をキーとして番組予約を行うため、日々移り変わるユーザの嗜好を反映した番組の予約が可能となる。
【００８４】
また、メディア再生情報をもキーとするため、より緻密にユーザの嗜好を反映した番組予約が可能になる。
【図面の簡単な説明】
【図１】本発明の原理を説明するための図である。
【図２】本発明の原理構成図である。
【図３】本発明の第１の実施の形態におけるシステム構成図である。
【図４】本発明の第１の実施の形態における動作のフローチャートである。
【図５】本発明の第１の実施の形態におけるメディア情報解析部の動作を説明するための図である。
【図６】本発明の第１の実施の形態における番組予約判断部の動作を説明するための図である。
【図７】本発明の第２の実施の形態におけるシステム構成図である。
【図８】本発明の第２の実施の形態における動作のフローチャートである。
【図９】本発明の第２の実施の形態における抽出されたメディア情報の例である。
【図１０】本発明の第２の実施の形態における番組予約キーの作成方法を説明するための図である。
【図１１】本発明の第３の実施の形態におけるシステム構成図である。
【図１２】本発明の第３の実施の形態における動作のフローチャートである。
【符号の説明】
１００  メディア再生端末
１０１  メディア格納部
１０２  メディア情報抽出手段、メディア情報抽出部
１０３  送信手段、データ送信部
１０４  メディア再生制御部
１０５  データ送受信部
１０６  表示部
２００  番組予約サーバ
２０１  受信手段、データ送受信部
２０２  メディア情報解析手段、メディア情報解析部
２０３  番組予約情報作成手段、番組予約判断部
２０４  メディア履歴データベース
２０５  番組予約情報送信手段
２１０  メディア情報データベース
２１１  電子番組表、電子番組表データベース
３００  番組予約端末
３０１  番組予約部
【図１】
0004039019.tif 000002
【図２】
0004039019.tif 000003
【図３】
0004039019.tif 000004
【図４】
0004039019.tif 000005
【図５】
0004039019.tif 000006
【図６】
0004039019.tif 000007
【図７】
0004039019.tif 000008
【図８】
0004039019.tif 000009
【図９】
0004039019.tif 000010
【図１０】
0004039019.tif 000011
【図１１】
0004039019.tif 000012
【図１２】
0004039019.tif 000013